(57)【特許請求の範囲】
【請求項１】
フイルム上に露光する撮影コマの画面サイズを、第１サイズと該第１サイズをフイルム進行方向に伸張した第２サイズとに切替自在なカメラにおいて、
撮影画面のサイズの設定を行う画面サイズ設定手段と、
画面サイズに応じた撮影可能な残枚数を算出する残枚数算出手段と、
前記画面サイズ設定手段で設定された一方の画面サイズに対応した残枚数を、画面サイズの設定と連動して表示する残量表示手段と、
操作部材の操作に応じて前記画面サイズ設定手段で設定していない他方の画面サイズに対応した残枚数を表示する他サイズ残量確認手段と、
を備えたことを特徴とする画面サイズ切替可能なカメラ。
【請求項２】
前記他サイズ残量確認手段は前記残量表示手段と共用される液晶表示器を有し、前記操作部材が操作されると、前記液晶表器に表示されていた前記一方の画面サイズに対応した残枚数の表示が消灯されるとともに、該液晶表示部に前記他方の画面サイズの残枚数が表示されることを特徴とする請求項１の画面サイズ切替可能なカメラ。
【請求項３】
前記操作部材として押圧操作ボタンが用いられ、前記他サイズ残量確認手段は、前記押圧操作ボタンが押圧されている間、前記他方の画面サイズの残枚数を表示し、前記押圧操作ボタンの押圧操作が解除されると、その表示を終了するように構成されることを特徴とする請求項１の画面サイズ切替可能なカメラ。
【請求項４】
前記操作部材が操作された時又は又は前記操作部材の操作が解除された時から一定時間経過後に、前記他方の画面サイズの残枚数の表示を終了させる確認表示解除手段を備えたことを特徴とする請求項１の画面サイズ切替可能なカメラ。
【発明の詳細な説明】
【０００１】
【発明の属する技術分野】
本発明は画面サイズ切替可能なカメラに係り、特に、通常の撮影画面サイズとこれよりもフイルム給送方向に大きい撮影画面サイズとに切り替えが可能で、画面サイズの切り替えに応じてフイルムの給送量を変更するカメラに関する。
【０００２】
【従来の技術】
近年、１本のフイルムの中で標準サイズとパノラマサイズとの切替が可能なカメラが実用化され、３５ｍｍフイルムの標準サイズのコマ（２４ｍｍ×３６ｍｍ）の上下部を適量遮光して撮影を行い、これを引き伸ばしてパノラマ写真を提供するものが知られている（特開平５−０７２６５５号公報等）。この種のパノラマ写真は、標準サイズのコマに比べると引き延ばし率が大きくなることから画質が低下するという欠点がある。
【０００３】
これに対し、フイルム上で標準サイズのコマの長辺を延長し、例えば、２４ｍｍ×６５ｍｍをパノラマサイズの１コマの大きさとするカメラが提案されている（特開平８−１０６１２７号公報）。
【０００４】
【発明が解決しようとする課題】
しかしながら、標準サイズをフイルム進行方向に伸張したパノラマサイズとに切り替えるカメラでは、画面サイズの設定によってフイルム給送量が異なるために設定される画面サイズに応じて撮影可能枚数（残枚数）が異なるという問題がある。かかる課題に対して、特開平８−１０６１２７号公報では、通常サイズでの撮影可能枚数とパノラマサイズでの撮影可能枚数を並列表示することや、次に撮影される画面サイズによる撮影可能枚数のみを表示すること、或いは撮影者が選択した適宜な画面サイズでの撮影可能枚数を表示することが開示されている。
【０００５】
ところが、並列表示では、ユーザが混乱するうえ、表示が見にくいという欠点がある。また、画面サイズの設定と連動した残枚数表示のみでは、画面サイズの切り替えに先立って、他方の画面サイズの残り枚数を把握することができないという欠点がある。そして、撮影者の選択によって適宜な画面サイズでの撮影可能枚数を表示する態様では、実際の画面サイズの設定と無関連に枚数表示がなされるために、真の残枚数を誤認する恐れがある。
【０００６】
本発明はこのような事情に鑑みてなされたもので、画面サイズの設定と連動して残枚数の表示を行うとともに、他方の画面サイズに対応した残り枚数を随時確認することができる画面サイズ切替可能なカメラを提供することを目的とする。
【０００７】
【課題を解決する為の手段】
本発明は前記目的を達成する為に、フイルム上に露光する撮影コマの画面サイズを、第１サイズと該第１サイズをフイルム進行方向に伸張した第２サイズとに切替自在なカメラにおいて、撮影画面のサイズの設定を行う画面サイズ設定手段と、画面サイズに応じた撮影可能な残枚数を算出する残枚数算出手段と、前記画面サイズ設定手段で設定された一方の画面サイズに対応した残枚数を、画面サイズの設定と連動して表示する残量表示手段と、操作部材の操作に応じて前記画面サイズ設定手段で設定していない他方の画面サイズに対応した残枚数を表示する他サイズ残量確認手段と、を備えたことを特徴としている。
【０００８】
本発明によれば、第２サイズは第１サイズをフイルム進行方向に大きくしたものであり、第１サイズに対応した撮影可能枚数（残枚数）と、第２サイズに対応した残枚数とは異なる。従って、残数の表示を画面サイズ設定手段による画面サイズの設定と連動させて行い、設定された一方の画面サイズに対応した残枚数を残量表示手段に表示するようにしている。そして、必要に応じて操作部材を操作することによって、画面サイズ設定手段で設定していない他方の画面サイズの残枚数を随時確認できるようになっている。
【０００９】
また、残量表示手段の液晶表示部を他サイズ残量確認手段と共用し、前記操作部材が操作された時には、設定されている一方の画面サイズに対応した残枚数の表示を消灯して、代わりに他方の画面サイズの残枚数を表示するようにしたことを特徴としている。このように、他サイズ残量確認用の操作部材の操作に応じて液晶表示部の表示を切り替えることにより、表示の誤認を防ぐことができる。
【００１０】
更に、本発明の他の態様によれば、操作部材として押圧操作ボタンを用い、該押圧操作ボタンが押圧されている間、確認用の他方の画面サイズの残枚数を表示し、押圧操作ボタンの押圧操作が解除されたら、その表示を終了するようにしたことを特徴としている。
これにより、押圧操作ボタンが押されている間だけ、確認用の表示が一時的に行われるので、ユーザは、画面サイズ設定手段によって設定されている画面サイズに対応した真の残枚数の表示と、確認用の表示とを誤認することがない。
【００１１】
また、他サイズ残量確認用の操作部材が操作されることにより、確認用の他方の画面サイズに対応した残枚数を表示し、操作部材が操作された時又は該操作部材の操作が解除された時から一定時間経過後に、この確認用の表示を強制的に終了させてもよい。かかる態様によっても、画面サイズ設定手段によって設定されている画面サイズに対応した真の残枚数の表示と、確認用の表示との混乱を防止できる。
【００１２】
【発明の実施の形態】
以下添付図面に従って本発明に係る画面サイズ切替可能なカメラの好ましい実施の形態について詳説する。尚、本実施の形態では、３５ｍｍロールフイルムを使用するカメラを例に説明する。
図１は、本発明を用いたカメラの正面外観図である。カメラ１本体の前面略中央部には撮影レンズ２が着脱自在に装着され、レンズ交換によって撮影レンズ２の焦点距離を変更することができる。レンズマウントには、例えば、バヨネットマウントが採用され、着脱ボタン４を押しながらレンズ鏡胴６を回すとレンズをカメラ１本体から取り外すことができるようになっている。
【００１３】
このカメラ１には、焦点距離９０ｍｍの撮影レンズと焦点距離４５ｍｍの撮影レンズの２種類のレンズを装着することができる。尚、焦点距離はこれらに限定されない。
また、カメラ１の前面にはファインダー対物窓８、採光窓１０、及び距離計窓１２が設けられ、距離計窓１２の左側にはＩＳＯダイアル１４が回動自在に配設されている。尚、同図中、符号１６はセルフランプ、符号１７はフラッシュのシンクロコードを差し込むシンクロターミナルである。
【００１４】
図２は、カメラ１の上面外観図である。レンズ鏡胴６の周面には、絞りリング１８、距離リング２０が回動自在に設けられ、絞りリング１８の回動操作によって絞り調節を行い、距離リング２０の回動操作によってピント調整を行うことができる。
カメラ１の上面には、レリーズボタン２２、メインダイアル２４、シャッター速度設定ダイアル２６、フイルムカウンター（残量表示手段）２８、他サイズ残量確認用の確認ボタン２９、及びホットシュー３０が設けられている。
【００１５】
メインダイアル２４は、モード選択ダイアル兼メインスイッチであり、「ＯＦＦ」の位置から該ダイアルを回動操作することでメインスイッチがオンするとともに、撮影モードをシングルモード（Ｓ）、連写モード（Ｃ）、セルフモードに設定することができる。
また、このメインダイアル２４は露出補正ダイアル（フラコンダイアル）を兼ねており、中央のボタン２４ａを押しながら該ダイアルを回すと、０．５のステップで±２ＥＶの露出補正を設定できる。
【００１６】
このカメラ１は絞り優先の自動露出制御機能を備えており、シャッター速度設定ダイアル２６を「オート」に設定しておくと、ＴＴＬ測光に基づいてシャッター速度を自動的に制御するようになっている。尚、シャッター速度設定ダイアル２６の中央のボタン２６ａは設定ロック／解除ボタンである。
フイルムカウンター２８には液晶表示器が用いられ、フイルムの残り撮影可能枚数を表示するようになっている。残量の検出方法としては、例えば、プリワインド時にパーフォレーションの総数ｎを検出し、一コマ給送毎に（この場合、一コマ巻戻し毎に）パーフォレーション数を計数し、残りのパーフォレーション数を一コマ当たり必要なパーフォレーション数で除算することでフイルム残数を把握できる。
【００１７】
具体的には、フイルムパトローネの装填直後に予備巻き上げを行い、パーフォレーションの総数を検出してフイルムの長さを検出する。そして、レリーズ動作によりフイルムの露光が行われる毎に、当該撮影コマの画面サイズに対応するフイルム給送量（標準サイズの場合は８パーフォレーション、パノラマサイズの場合は１４パーフォレーション）でフイルムをパトローネ内に巻き戻し、撮影可能なフイルムの全長（総パーフォレーション数）から上記フイルム給送量分（８又は１４パーフォレーション）を減算し、フイルムの残り長さを算出する。
【００１８】
このフイルム残り長さを１コマ分のフイルム給送量（８又は１４パーフォレーション）で除算し、各画面サイズでの撮影可能枚数を求める。こうして得られた撮影可能枚数がフイルムカウンター２８に表示される。また、パノラマサイズでの撮影可能枚数を表示する場合には、パノラマサイズ相当の残量表示であることを明示する為に表示される数字の左上に「Ｐ」なる文字を同時に表示する。
【００１９】
フイルムカウンター２８は、後述する画面切替つまみ３４による画面サイズの設定と連動して、次に撮影される画面サイズによる撮影可能枚数を表示するようになっている。
フイルムカウンター２８の近く（図２中フイルムカウンター２８の右下）には他サイズ残量確認用の確認ボタン２９が設けられ、該確認ボタン２９を押圧操作すると、フイルムカウンター２８に他方の画面サイズによる撮影可能枚数が表示され、確認ボタン２９の押圧を解除すると再び画面切替つまみ３４で設定されている画面サイズの残枚数表示に復帰するように構成される。
【００２０】
また、確認ボタン２９が操作された時又は確認ボタン２９の操作が解除された時点から経過時間をカウントするタイマを設ける等して、確認ボタン２９が押圧操作されてから、一定時間フイルムカウンター２８に確認用の他方の画面サイズに対応した残枚数を表示し、一定時間経過後にこの確認用の表示を終了させて、画面切替つまみ３４で設定されている画面サイズの残枚数表示に復帰するようにしてもよい。
【００２１】
図３は、カメラ１の背面側の外観図である。カメラ１の背面には、ファインダー接眼部３２、画面切替つまみ３４及び液晶表示部３６が設けられている。尚、符号３８はフイルム確認窓である。
画面切替つまみ３４は、標準（ノーマル）サイズとパノラマサイズの２種のプリントアスペクト比に対応して画面パターンを切り替えるための操作部材である。画面切替つまみ３４は、軸３４ａを中心に回動自在であり、標準（Ｎ）、パノラマ（Ｐ）の各画面サイズに対応する２か所の停止位置のうち、何れか１つの位置に選択的に設定される。
【００２２】
液晶表示部３６には、バッテリー残量、設定されたモード等を示す情報が表示される。尚、液晶表示部３６の下方には、オートブラケットモード選択スイッチ（ＡＥＢＳＷ）４０、ＥＬスイッチ（ＥＬＳＷ）４１、及び途中巻戻しスイッチ（ＭＵＳＷ）４２が設けられている。
オートブラケットモード選択スイッチ４０は、適正、アンダー、オーバ、と露出を変えて連続して３枚の撮影を行う撮影モードに設定するためのボタンである。また、ＥＬボタン４１は液晶表示部３６のバックライトの点灯／消灯を操作するスイッチである。
【００２３】
カメラ１の裏蓋４４は、図３中右側部の図示せぬヒンジを介して開閉可能であり、カメラ側面の蓋開放レバー（不図示）を操作すると裏蓋４４のロックが解除され、フイルムを装填、交換できるようになっている。当該カメラ１に用いられるフイルムは、例えば、周知の３５ｍｍフイルムであり、カメラ１のパトローネ室内には、パトローネの壁面に形成されたカメラ自動感知コード（ＤＸコード）を検知するための検知ピン（不図示）が設けられている。ＩＳＯダイアル１４が「ＤＸ」にセットされている場合には、前記検知ピンを介して自動感知したＤＸコードに基づいてＩＳＯ感度情報が読み込まれるようになっている。
【００２４】
また、図には示されていないが、カメラ１の底面にはバッテリーカバーが開閉自在に設けられ、該バッテリーカバーを開けることによって電源用の電池を装填、交換できるようになっている。
図４は、図１に示したカメラに組み込まれたファインダーの光学系の構成を示す平面図である。このカメラ１は距離計連動式カメラであり、採光窓式ブライトフレームファインダーが採用されている。
【００２５】
カメラ１のファインダー部は、測距用ミラー４６、測距用ダハプリズム４８、測距用対物レンズ５０、採光ミラー５２、採光用プリズム５４、レチクル群５６、ターゲットレンズ群５８、凸の対物レンズ６０、プリズム６２、ｆ＝４５ｍｍ用接眼レンズ群６４（第１の接眼レンズに相当）、ｆ＝９０ｍｍ用接眼レンズ群６６（第２の接眼レンズに相当）等の光学系から成る。前記プリズム６２には半透過コート（ハーフコート）６２ａが施されている。
【００２６】
距離計の連動機構については、図示されていないが、周知の如くレンズ鏡胴６の後端部に距離リング２０の回動操作に応じて光軸方向に進退するリング（カム）が設けられるとともに、カメラ側に前記リングに当接するローラを有したレバーが設けられ、前記リングの進退動作に連動して前記レバーが光軸の前後方向に揺動するようになっている。
【００２７】
そして、このレバーの動きによって測距用対物レンズ５０を光軸と直交する方向（図４中上下方向）に移動させて距離計像を移動させるとともに、レチクル群５６の移動枠を斜め移動させてパララックス補正をしている。レチクル群５６の構成については後述する（図７）。
このように、レンズ鏡胴６の距離リング２０を回動操作することにより、撮影レンズ２がヘリコイドにより光軸方向に前後移動するとともに、測距用対物レンズ５０が移動し、ファインダー接眼部３２を通して観察されるファインダーのスプリットイメージの上下像の合致具合が変化する。そして、上下像が合致した位置（距離計像とファインダー像とが一致した位置）で撮影レンズ２が合焦位置に設定されることになる。
【００２８】
２つの接眼レンズ群６４、６６は、それぞれレンズ枠６８、７０に保持されており、両レンズ枠６８、７０は互いに連結ピン７２を介して回動自在に連結されている。レンズ枠６８、７０の連結部分にはバネ７４が設けられ、該バネ７４の力によってレンズ枠６８は連結ピン７２を中心に図４中時計回り方向に付勢され、レンズ枠７０は連結ピン７２を中心に反時計回り方向に付勢される。
【００２９】
また、各レンズ枠６８、７０の上部にはそれぞれボス６８ａ、７０ａが突設されており、各ボス６８ａ、７０ａは、接眼レンズ群６４、６６の上方に配設されたプレート７８のガイド溝７８ａ、７８ｂにそれぞれ挿入される（図５参照）。両接眼レンズ群６４、６６は前記ボス６８ａ、７０ａとガイド溝７８ａ、７８ｂとで構成するガイドに規制されて移動可能になっている。
【００３０】
接眼レンズ群６４、６６をスライドさせる機構について詳しくは後述するが、ｆ＝４５ｍｍの撮影レンズ２が取付けられた場合には、図４中実線で示したように、４５ｍｍ用接眼レンズ群６４がプリズム６２と接眼窓７６の間に配置され、９０ｍｍ用の接眼レンズ群６６は４５ｍｍ用接眼レンズ群６４の左横、ターゲットレンズ群５８の後方のスペースに退避する。尚、同図では、９０ｍｍ用の接眼レンズ群６６はターゲットレンズ群５８の後方のスペースに退避する場合が示されているが、９０ｍｍ用の接眼レンズ群６６の退避位置は、これに限らず、採光窓１０からプリズム６２の半透過コート（ハーフコート）６２ａに至る採光光学系の後方のスペースであればよい。
【００３１】
他方、ｆ＝９０ｍｍの撮影レンズ２が取付けられた場合には、９０ｍｍ用接眼レンズ群６６がプリズム６２と接眼窓７６の間（ファインダー光軸上）に進出し、４５ｍｍ用接眼レンズ群６４は図４中二点鎖線で示したように連結ピン７２を中心に時計回り方向に回動して折り曲げ状態でカメラ１の側部に退避する。
次に、接眼レンズ群の切替機構について説明する。
【００３２】
図５は、接眼レンズ群の切替機構の平面図である。図４で説明したプリズム６２及び接眼レンズ群６４、６６の上方を覆うように平板状のプレート７８が配設され、該プレート７８には、接眼レンズ群６４、６６の移動を案内するガイド溝７８ａ、７８ｂが形成される。ガイド溝７８ａは略Ｌ字状に形成され、このガイド溝７８ａに４５ｍｍ用接眼レンズ群６４のレンズ枠６８のボス６８ａが係合している。他方、ガイド溝７８ｂは直線状に形成され、このガイド溝７８ｂに９０ｍｍ用接眼レンズ群６６のレンズ枠７０のボス７０ａが係合している。
【００３３】
プレート７８には、主として４つの連結部材が支持されている。第１連結部材８０はプレート７８の軸７８ｃに回動自在に支持されている。第１連結部材８０は１つのアーム部８０ａと２つの連結ピン８０ｂ、８０ｃを有し、アーム部８０ａの長穴８０ｄにはレンズ枠６８のボス６８ａが係合している。また、第１連結部材８０にはバネ掛けピン８０ｅが形成されており、このバネ掛けピン８０ｅにバネ８２の一端が掛けられている。該バネ８２の他方の端部はプレート７８に形成されたバネ掛けピン７８ｄに掛けられている。第１連結部材８０が図５中実線で示す位置（４５ｍｍ位置）にあるとき、前記バネ８２は第１連結部材８０を反時計回り方向に付勢して連結ピン７２をガイド溝７８ａの左端に押し付け、４５ｍｍ用接眼レンズ群６４を観察位置に位置決めする。
【００３４】
また、第１連結部材８０が図５中二点鎖線で示す位置（９０ｍｍ位置）に回動すると、前記バネ８２は第１連結部材８０を時計回り方向に付勢して９０ｍｍ用接眼レンズ群６６のボス７０ａをガイド溝７８ｂの右端に押し付け、９０ｍｍ用接眼レンズ群６６を観察位置に位置決めする。
第２連結部材８４は略Ｌ字形状に形成され、プレート７８の軸７８ｅに回動自在に支持される。この第２連結部材８４は先端部がコの字状に形成され、該先端部が前記第１連結部材８０の連結ピン８０ｄと係合される。また、第２連結部材８４は後述する第６連結部材９４の先端部９４ａと係合されており、第６連結部材９４に連動して、軸７８ｅを中心に回動するようになっている。
【００３５】
第３連結部材８６はプレート７８に形成された軸７８ｆに回動自在に支持され、軸７８ｆを支点とする長短２つの腕部を有している。その長い方の腕部に形成された長穴８６ａには第１連結部材８０の連結ピン８０ｃが係合され、短い方の腕部に形成された穴８６ｂには、第４連結部材８８の連結ピン８８ａが係合している。
【００３６】
第４連結部材８８は、長穴８８ｂ、８８ｃを有し、これら長穴８８ｂ、８８ｃにプレート７８の連結ピン７８ｇ、７８ｈがそれぞれ挿入される。第４連結部材８８は、前記長穴８８ｂ、８８ｃと連結ピン７８ｇ、７８ｈにガイドされて図中上下方向にスライド可能であり、第３連結部材８６の回動に連動して第４連結部材８８が上下移動するようになっている。
【００３７】
また、この第４連結部材８８の中央側部にはレバー部８８ｄが形成されており、このレバー部８８ｄが後述するレチクル群５６の４５ｍｍ／９０ｍｍ切替枠１１０と係合し、レンズ交換に応じて４５ｍｍ／９０ｍｍ切替枠１１０をスライドさせる。
図６は、接眼レンズ群の切替機構の正面側の要部構成図である。同図に示すように撮影レンズ２を装着するマウントの右側部には、上下方向に移動可能な第５連結部材９１と、該第５連結部材９１とピン９２を介して回動自在に連結された第６連結部材９４とが設けられている。
【００３８】
第５連結部材９１は上下方向に長い長穴９１ａ、９１ｂを有し、これらの長穴９１ａ、９１ｂにカメラ本体のピン９６、９７がそれぞれ挿入される。そして、前記長穴９１ａ、９１ｂとピン９６、９７から成るガイドに沿って第５連結部材９１は図５中上下方向に移動可能となっている。この第５連結部材９１の下端部にはフック９１ｃが形成され、該フック９１ｃと前記ピン９６との間に引張バネ９８が渡されている。この引張バネ９８のバネ力によって第５連結部材９１は図中上方に向けて付勢される。
【００３９】
また、前記第５連結部材９１の中央左側部には突起片９１ｄが形成されている。一方、ｆ＝９０ｍｍの撮影レンズ２の鏡胴の後端部周面には前記突起片９１ｄに係合する爪９９が形成されている。尚、同図ではレンズ鏡胴６は省略され、爪９９のみが示されている。
カメラ１のマウントにｆ＝９０ｍｍの撮影レンズ２の鏡胴が着座され、右ネジ方向に締め込まれると、前記爪９９が第５連結部材９１の突起片９１ｄを押し下げ、第５連結部材９１は、図６中二点鎖線で示すように下方に移動する。
【００４０】
他方、ｆ＝４５ｍｍの撮影レンズの鏡胴には、前述のような爪９９が形成されておらず、カメラ１のマウントにｆ＝４５ｍｍのレンズ鏡胴を取り付けた場合には、図６中実線で示したように第５連結部材９１は上方に移動する。
この第５連結部材９１にピン９２を介して連結される第６連結部材９４は、カメラ本体の軸１００に回動自在に支持されており、前記第５連結部材９１の上下方向の移動に連動して前記軸１００を中心に揺動する。第６連結部材９４の先端部９４ａはカメラ後方に向かって略９０度折り曲げられ、この折り曲げ形成された先端部９４ａが図５で示した第２連結部材８４と係合している。
【００４１】
次に、レチクル群の構成について説明する。
図７は、図４に示したレチクル群５６の構成を示す図である。レチクル群５６は、同図中下から順に、保持枠１０２、移動枠１０４、レチクル板１０６、標準／パノラマ切替枠（以下、ＮＰ切替枠という。）１０８、４５ｍｍ／９０ｍｍ切替枠１１０、及び押さえ枠１１２から成る。
【００４２】
保持枠１０２は、移動枠１０４やレチクル板１０６等を保持する部材であり、カメラ１本体に固定される。移動枠１０４は撮影レンズ２の前後移動に応じて自動パララックス補正の動きをする部材であり、保持枠１０２に形成された長穴１０２ａ、１０２ｂとピン１１４、１１５とで構成するガイドによって斜め方向（画面の対角方向）に移動可能に案内されている。
【００４３】
この移動枠１０４は、バネ１１８によって図７中右斜め上方向に付勢されるとともに、移動枠１０４の左下隅部は、撮影レンズ２の繰り出しに連動して水平移動するレバー１２０と係合しており、前記レバー１２０の移動に連動して前記ピン１１４、１１５と長穴１０２ａ、１０２ｂから成るガイドに規制されて図７中斜め方向に移動する。
【００４４】
レチクル板１０６には、ｆ＝４５ｍｍの撮影レンズ用の枠を規定する光像枠、ｆ＝９０ｍｍの撮影レンズ用の枠を規定する光像枠、標準サイズ用の枠を規定する光像枠及びパノラマサイズ用の枠を規定する光像枠が形成されており、このレチクル板１０６は、ピン１２２、１２３によって前記移動枠１０４に固定されている。
【００４５】
ＮＰ切替枠１０８は、長穴１０８ａ、１０８ｂとピン１２５、１２６とから成るガイドによって図中左上がりの斜め方向に案内されるとともに、長穴１０８ｃに係合されるピン１２８の上下方向の動きによりレチクル遮蔽の切り替えをする。尚、ピン１２８の駆動機構については後述する（図８）。
４５ｍｍ／９０ｍｍ切替枠１１０は、長穴１１０ａ、１１０ｂとピン１２５、１２６とで構成するガイドによって案内されるとともに、図５で説明した第４連結部材８８のレバー部８８ｄと係合される。そして、第４連結部材８８のレバー部８８ｄの動き（図７中左右方向の動作）によってレチクル遮蔽の切り替えをする。
【００４６】
押え枠１１２は、レチクル板１０６、ＮＰ切替枠１０８、及び４５ｍｍ／９０ｍｍ切替枠１１０の３枚の部材を移動枠１０４との間に挟み込んで固定するものであり、ピン１２５、１２６によって移動枠１０４に取付けられる。尚、押さえ板１１２の略中央にはスプリットイメージを観察する測距窓１１２ａが形成されている。
【００４７】
かかる構成により、カメラ１のレンズマウントに装着された撮影レンズ２の種別に応じて４５ｍｍ／９０ｍｍ切替枠１１０が移動するとともに、標準／パノラマの画面サイズ切り替えに応じてＮＰ切替枠１０８が移動して撮影条件に合致した光像枠だけが見えるようになっている。また、レンズ鏡胴６の距離リング２０の操作に連動して移動枠１０４が移動し、パララックス補正が行われる。
【００４８】
続いて、標準／パノラマの画面サイズの切替手段について説明する。
図８は、画面切替つまみ３４周辺のカメラ１内部構成を示す図である。図中符号１３０は画面切替つまみ３４の軸３４ａに固設された回動部材である。回動部材１３０の下側には第１の標準／パノラマ連結レバー（以下、第１ＮＰ連結レバーという。）１３２が長穴１３２ａとピン１３４にガイドされて水平方向（図中左右方向）にスライド自在に設けられている。
【００４９】
第１ＮＰ連結レバー１３２は連結ピン１３６を介して前記回動部材１３０と連結されており、画面切替つまみ３４の回動操作によって回動部材１３０が軸３４ａを中心に回動することによって、第１ＮＰ連結レバー１３２が図中左右方向に移動する。
第１ＮＰ連結レバー１３２の底面部に形成された爪１３２ｂは後述するアパーチュア切替機構の第２の標準／パノラマ連結レバー（以下、第２ＮＰ連結レバーという。）１８０に係合しており、画面切替つまみ３４の操作力をアパーチュア切替機構の駆動力として伝達するようになっている。
【００５０】
前記回動部材１３０の右側に図７で説明した保持枠１０２に保持されたレチクル群５６が配置され、レチクル群５６の右側にレチクル駆動機構１４０が設けられている。
レチクル駆動機構１４０は、主として、支柱１４２、昇降部材１４４、ピン１２８等から構成される。支柱１４４の上下両端部は保持枠１０２に支持され、該支柱１４２に昇降部材１４４が上下方向に移動自在に支持されている。この昇降部材１４４の上部は前記ピン１２８が固設されており、該ピン１２８は保持枠１０２の穴１０２ｃを介してレチクル群５６のＮＰ切替枠１０８の長穴１０８ｃに係合している（図７参照）。
【００５１】
また、この昇降部材１４４はバネ１４６によって図８中下方に付勢されるとともに、昇降部材１４４の下端部にはピン１４８がねじ込まれており、昇降部材１４４の底部にピン１４８の先端が突出した状態になっている。
前記ピン１４８の先端は前記バネ１４６の力によって第１ＮＰ連結レバー１３２の右端部に当接しており、第１ＮＰ連結レバー１３２のスライドに伴い、該第１ＮＰ連結レバー１３２の斜面部１３２ｃの作用によって昇降部材１４４が上下動するようになっている。尚、ピン１４８の先端部は半球状に形成され、第１ＮＰ連結レバー１３２の斜面部１３２ｃ及び平坦部１３２ｄとの滑り摩擦の低減が図られている。
【００５２】
かかる構成によって、図８中実線で示したパノラマ設定では、ピン１４８の先端が第１ＮＰ連結レバー１３２の平坦部１３２ｄに乗り上げ、昇降部材１４４は上方に位置する。一方、画面切替つまみ３４を図８中時計回転方向に回動操作して、標準サイズに設定すると、図中二点鎖線で示したように、第１ＮＰ連結レバー１３２が左方向にスライドし、昇降部材１４４の底部のピン１４８は斜面部１３２ｃに沿って下降する。こうして、昇降部材１４４が下方に移動し、該昇降部材１４４に固設されたピン１２８が下方向に駆動される。
【００５３】
このように、画面切替つまみ３４の回動位置に応じて昇降部材１４４が上下移動し、該昇降部材１４４に固設したピン１２８が上下駆動される。このピン１２８の駆動力によってレチクル群５６のＮＰ切替枠１０８が移動する。
更に、第１ＮＰ連結レバー１３２の左上部には金属接片板１５０がビス１５２を介して固定されている。この金属接片板１５０は、板バネの如く折り曲げ成形されており、その弾性力によって金属接片板１５０の先端部は電気回路基板１５４に向けて付勢されている。
【００５４】
従って、画面切替つまみ３４の回動操作に連動して第１ＮＰ連結レバー１３２が図中左右方向にスライドすると、電気回路基板１５４に接触する金属接片板１５０の接続点が切り替わり、標準／パノラマの画面サイズの設定を電気的に検出することができる。
次に、アパーチュア切替機構について説明する。
【００５５】
図９はアパーチュア切替機構の構成を示す図である。撮影レンズ２の後方には、パノラマサイズのコマを露光する為の開口窓１６０を有したアパーチュア枠１６２が配置され、このアパーチュア枠１６２の左側に図示せぬパトローネ室、右側にスプール室とがそれぞれ設けられる。尚、前記開口窓１６は、例えば２４ｍｍ×６５ｍｍの横長の長方形状に形成される。
【００５６】
前記撮影レンズ２とアパーチュア枠１６２との間に図示せぬフォーカルプレーンシャッターがアパーチュア枠１６２に密着するように近接して設けられている。このフォーカルプレーンシャッターは、シャッター幕が画面の上下方向に走行するスクエア型シャッターであり、シャッター幕の前面（撮影レンズ側の面）にはフイルム膜面と同様の反射率をもつような表面処理が施されている。
【００５７】
前記アパーチュア枠１６２の左側部には、開口窓１６０に対して進退自在な第１遮光枠１６４が設けられ、アパーチュア枠１６２の右側部には、開口窓１６０に対して進退自在な第２遮光枠１６６、及び第３遮光枠１６８が設けられている。
第１遮光枠１６４は長穴１６４ａ、１６４ｂを有し、これら長穴１６４ａ、１６４ｂとアパーチュア枠１６２に突設されたピン１７０、１７１にガイドされて、図中左右方向にスライド可能となっている。
【００５８】
同様に、第２遮光枠１６６はピン１７３、１７４と長穴１６６ａ、１６６ｂにガイドされ左右方向にスライドに支持され、第３遮光枠１６８はピン１７６、１７７と長穴１６８ａ、１６８ｂにガイドされ左右方向にスライド自在に支持される。
アパーチュア枠１６２の上部には、第２ＮＰ連結レバー１８０がピン１８２、１８３と長穴１８０ａ、１８０ｂにガイドされ、図中左右方向にスライド自在に支持される。この第２ＮＰ連結レバー１８０は図８で説明した第１ＮＰ連結レバー１３２と爪１３２ｂを介して連結されており、第１ＮＰ連結レバー１３２の移動に連動して左右方向に移動する。
【００５９】
また、第２ＮＰ連結レバー１８０にはクリック穴１８０ｃが形成されており、第２ＮＰ連結レバー１８０のスライド移動によってクリックボールがクリック穴１８０ｃに嵌入して第２ＮＰ連結レバー１８０のガタツキを抑制するようになっている。
第２ＮＰ連結レバー１８０と第１遮光枠１６４とは第１枠レバー１８６によって連結されている。第１枠レバー１８６は、軸１８７に回動自在に支持されており、第１枠レバー１８６の上部先端は第２ＮＰ連結レバー１８０のピン１８０ｄと係合され、下端は第１遮光枠１６４のピン１６４ｃと係合される。
【００６０】
前記第１枠レバー１８６の上部先端にはフック１８６ａが形成され、このフックとアパーチュア枠１６２のピン１６２ａの間に引張バネ１８８が渡されている。この引張バネ１８８は、第１枠レバー１８６を図中反時計回転方向に付勢しており、第１遮光枠１６４は開口窓１６０の内側に進出させる方向（標準サイズの枠位置方向）に力が加えられている。
【００６１】
第２ＮＰ連結レバー１８０の右端は略９０度下方に延出した腕部１８０ｄが設けられ、該腕部１８０ｄは連結ピン１９０を介して第２枠レバー１９２と連結されている。第２枠レバー１９２は、アパーチュア枠１６２の右上隅部に設けられた軸１６２ｂに回動自在に支持されるとともに、連結ピン１９４を介して第３遮光枠１６８と連結されている。
【００６２】
また、第２枠レバー１９２の先端（図９中下端）は、第２遮光枠１６６の右下隅部に突設されたピン１６６ｃと係合される。
第２遮光枠１６６の長穴１６６ａが形成されたガイド部先端にはフック１６６ｄが形成され、該フック１６６ｄとアパーチュア枠１６２の左下隅部に突設されたピン１６２ｃとの間に引張バネ１９８が渡されている。この引張バネ１９８によって第２遮光枠１６６は図中左方向に付勢され、第２遮光枠１６６及び第３遮光枠１６８は共に開口窓１６０内に進出する方向（標準サイズの枠位置方向）に力が加えられている。
【００６３】
かかる構成によれば、画面切替つまみ３４をパノラマ側に設定すると、図９の実線で示したように第１ＮＰ連結レバー１３２は図中右寄りの位置に移動し、これに連動して第２ＮＰ連結レバー１８０は引張バネ１８８、１９８の付勢力に抗して右方向に移動し、クリックボールがパノラマ用のクリック穴に係合した位置で停止する。
【００６４】
この動きによって、第１遮光枠１６４は開口窓１６０の外側に退避し、第２、第３遮光枠１６６、１６８は、互いに重なり合って、開口窓１６０の外側に退避する。こうして、アパーチュア枠１６２の開口窓１６０で規定されるパノラマ画角の露光開口が画成される。
このように、第２、第３遮光枠１６６、１６８を重ねて退避させるようにしたので、１枚の遮光枠で構成する場合に比べて、退避スペースを小さくでき、カメラの横方向の寸法を小さくすることができる。
【００６５】
画面切替つまみ３４を標準側に設定すると、図９の二点鎖線で示したように第１ＮＰ連結レバー１３２は図中左寄りの位置に移動する。このとき、クリック穴１８０ｃからクリックボールが外れ、引張バネ１８８、１８９のバネ力が解放される。このバネ力によって、第１遮光枠１６４が図中右方向にスライドして、開口窓１６０の左側の領域に図中二点鎖線で示す位置（標準位置）まで進出するとともに、第２、第３遮光枠１６６、１６８も図中左方向にスライドして、開口窓１６０の右側の領域に図中二点鎖線で示す位置（標準位置）まで進出する。
【００６６】
この時、第２遮光枠１６６は第３遮光枠１６８よりも多く左方向にスライドし、第２遮光枠１６６と第３遮光枠１６８とが共働して開口窓１６０の右側部を遮光する。このように、第１乃至第３遮光板１６４、１６６、１６８がアパーチュア枠１６２の開口窓１６０の内側に張り出した状態となり、第１遮光枠１６４の右端面、第２遮光枠１６６の左端面、及び開口窓１６０の上下２辺によって標準サイズのコマを露光するための露光開口が画成される。標準サイズのコマは、例えば、２４ｍｍ×３６ｍｍの横長四辺形状となる。
【００６７】
尚、クリック穴１８０ｃは標準サイズ用とパノラマサイズ用の２つ設けられているが、パノラマ時の方がバネ力が大きいことに配慮して穴の径を変えることで操作力量を調節することもできる。
次に、カメラの電気的構成について説明する。
図１０はカメラの電気的構成の概略を示すブロック図である。このカメラ１は、電源用バッテリー２０２、ＤＣ／ＤＣコンバータ２０４、及び周辺電源供給回路２０６から成る電源系、メインダイアル等各種の操作入力部２０８、及び中央処理装置（ＣＰＵ）２１０等から構成され、カメラ１の動作は前記ＣＰＵ２１０によって総括的に制御される。
【００６８】
ＤＣ／ＤＣコンバータ２０４はＣＰＵ２１０に制御され、バッテリー２０２の電源電圧を所定の電圧値に変換する。ＤＣ／ＤＣコンバータ２０４の出力は、電圧検出回路２１２、Ｅ2 ＰＲＯＭ２１４、周辺電源供給回路２０６等に導かれる。電圧検出回路２１２は、ＤＣ／ＤＣコンバータ２０４から加えられる電圧値を検出し、その検出結果をＣＰＵ２１０に通知する。
【００６９】
周辺電源制御回路２０６はＣＰＵ２１０によって制御され、フイルムＰＲ（フォトリフレクタ）検出回路２１６、チャージＰＲ検出回路２１８、及び測光回路２２０に対して電源を供給する。
操作入力部２０８の操作スイッチには、裏蓋４４の開閉状態を示すアトブタスイッチ、メインダイアル２４、ＡＥＢＳＷ４０、ＥＬＳＷ４１、レリーズボタンの半押しを示すＳ1 、ケーブルレリーズ、途中巻戻しスイッチ４２、パノラマ／ノーマル切替スイッチ（ＰＮＳＷ）、セルフスイッチ、ＩＳＯダイアル１４、シャッター速度設定ダイアル２６、露出補正ダイアル（フラコンダイアル）、ＤＸ検知等がある。
ＣＰＵ２１０は操作入力部２０８から入力する信号に基づいてシャッター制御回路２２２、モータ制御回路２２４、ＥＬ制御回路２２６及び液晶表示部（ＬＣＤ）２２８の液晶パネル等を制御するとともに、Ｅ2 ＰＲＯＭ２１４に書き込まれたシーケンスプログラムに従い、写真撮影に必要な一連の動作を制御する。また、ＣＰＵ２１０はこれらの動作制御の為に、フイルムＰＲ検出回路２１６、チャージＰＲ検出回路２１８、及び測光回路等２２０等の検出系から得られる信号を参照する。
【００７０】
フイルムＰＲ検出回路２１６は、フイルムのパーフォレーションを検出するフォトセンサを含み、該フォトセンサは、パトローネ室とスプール室との間のフイルム搬送路中の適当な位置に配置され、パーフォレーションの通過に応じて信号を出力する。
フイルムＰＲ検出回路２１６は、フォトセンサの出力信号の変化をカウントすることでパーフォレーションの通過を検知し、フイルムの給送又は巻き戻し時のフイルム移動量を検出する。尚、フォトセンサからの出力信号がハイからロウ、ロウからハイと２回変化することが１パーフォレーションの通過に相当する。
【００７１】
そして、この検出結果がフイルムＰＲ検出回路２１６からＣＰＵ２１０に通知され、フイルムの移動量が把握される。例えば、標準サイズのコマの長さを８パーフォレーションとし、パノラマサイズのコマの長さを１４パーフォレーションとする。
チャージＰＲ検出回路２１８は、シャッターの機械的位置を光学的に検出し、シャッターが所定のチャージ位置にセットされているか否かをチェックするためのものである。
【００７２】
測光回路２２０は、ＣＰＵ２１０によって制御され、撮影レンズ２を介してカメラ内に入射する光をシャッター幕の手前に配設した受光素子の受光信号に基づいて測光し、測光結果をＣＰＵ２１０に通知する。
シャッター制御回路２２２は、シャッター速度設定ダイアル２６の設定、測光回路２２０からの測光データに基づいてシャッタ２３０の開閉を制御するとともに、符号２４０で示したシンクロターミナル又はホットシューの発光タイミングを調整する。
【００７３】
モータ制御回路２２４は、バッテリー２０２から電源の供給を受けるとともに、ＣＰＵ２１０からの制御信号に基づいてフイルム搬送用のモータ（フイルムモータ）２３２及びフォーカルプレーンシャッターのシャッター幕を駆動するチャージモータ２３４を制御する。
ＥＬ制御回路２２６は、ＣＰＵ２１０からの制御信号に基づいて液晶表示部３６のバックライト（ＥＬ）２３６の点灯／消灯を行うものである。尚、ＥＬ制御回路２２６及びバックライト２３６はバッテリー２０２から直接電源の供給を受けている。
【００７４】
その他、ＣＰＵ２１０は液晶表示部３６の表示制御を行うとともに、セルフランプやファインダー内の発光ダイオード（ＬＥＤ）２４２の点灯制御を行う。尚、発光ダイオードの電源はバッテリー２０２から供給される。
次に、上記の如く構成されたカメラの作用について説明する。
カメラ１のマウントにｆ＝９０ｍｍの撮影レンズ２の鏡胴を装着すると、図６で説明したようにレンズ鏡胴６の爪９９が第５連結部材９１の突起片９１ｄを押し下げ、第５連結部材９１は、図６中二点鎖線で示すように下方に移動する。そして、この第５連結部材９１の下降動作に連動して第６連結部材９４が軸１００を中心に反時計回り方向に揺動し、図５に示した第２連結部材８４を図５中時計回り方向に回動させる。
【００７５】
第２連結部材８４の腕部先端は連結ピン８０ｂを介して第１連結部材８０と連結されているので、第２連結部材８４が時計回り方向に回動すると、第１連結部材８０が時計回り方向に回動する。これにより、第１連結部材８０のアーム部８０ａが図中二点鎖線で示す位置（９０ｍｍ位置）に移動し、４５ｍｍ用接眼レンズ群６４及び９０ｍｍ用接眼レンズ群６６はガイド溝７８ａ、７８ｂに沿って右方向にスライドする。
【００７６】
このとき、４５ｍｍ用接眼レンズ群６４を保持したレンズ枠６８のボス６８ａはＬ字状のガイド溝７８ａに規制され、カメラの前方方向に折り曲げられてファインダー光軸から退避する。このように折り曲げ退避させたことで、折り曲げずに両接眼レンズ群の並列方向に平行移動させる場合に比べてカメラの横方向の寸法を小さくすることができる。
【００７７】
他方、９０ｍｍ用接眼レンズ群６６はガイド溝７８ｂに沿って図中左方向に平行移動し、ファインダー光軸内に進出する。こうして、９０ｍｍ用の接眼レンズに切り替えられる。
また、ｆ＝９０ｍｍのレンズ装着動作によって、図５に示した第４連結部材８８が図５中下方向に移動し、第４連結部材８８のレバー部８８ｄによって、図７で説明した４５ｍｍ／９０ｍｍ切替枠１１０が駆動される。４５ｍｍ／９０ｍｍ切替枠１１０が移動することによって、図１１（ａ）、（ｂ）に示すようにファインダーには９０ｍｍ用のフレーム２６０が表れ、該フレーム２６０の内側に画面切替つまみ３４の選択に応じた画面サイズのフレーム２６２が表示される。
【００７８】
図１１には、９０ｍｍレンズ装着時に接眼部から観察される視野例が示され、同図（ａ）はパノラマサイズの無限遠、同図（ｂ）はパノラマサイズの至近（１ｍ）の様子である。
画面切替つまみ３４の操作によってパノラマサイズが選択されると、図８で説明したように第１ＮＰ連結レバー１３２は図８中実線で示した左寄りの位置に移動し、昇降部材１４４のピン１４８は第１ＮＰ連結レバー１３２の平坦部１３２ｄに乗り上げる。
【００７９】
従って、昇降部材１４４に固設したピン１２８によって図７に示したＮＰ切替枠１０８が図７中左斜め上方向に移動し、ファインダーには図１１（ａ）、（ｂ）のようなパノラマ用のフレーム２６２が表示される。
レンズ鏡胴６の距離リング２０を回動操作すると図７で説明したように移動枠１０４がレバー１２０によって対角方向に移動し、図１１（ａ）、（ｂ）に示したように距離に合わせて自動的にパララックス補正をするようになっている。
【００８０】
一方、画面切替つまみ３４の操作によって標準サイズが選択されると、図８で説明したように第１ＮＰ連結レバー１３２は図８中二点鎖線で示した右寄りの位置に移動し、昇降部材１４４のピン１４８は第１ＮＰ連結レバー１３２の斜面部１３２ｃに沿って下降する。
従って、昇降部材１４４に固設したピン１２８によって図７に示したＮＰ切替枠１０８が図７中右斜め下方向に移動し、ファインダーには図１２（ａ）、（ｂ）のような標準用のフレーム２６４が表示される。
【００８１】
図１２（ａ）は標準サイズの無限遠、同図（ｂ）は標準サイズの至近（１ｍ）の様子を示すものであり、レンズ鏡胴６の距離リング２０の回動操作に連動して自動パララックス補正の動きが行われる点は図１１（ａ）、（ｂ）の例と同様である。
続いて、カメラ１のマウントにｆ＝４５ｍｍの撮影レンズ２の鏡胴を装着した場合を説明する。
【００８２】
ｆ＝４５ｍｍの撮影レンズ２の鏡胴には、図６に示した第５連結部材９１と係合する爪９９が形成されていないため、カメラ１のマウントにｆ＝４５ｍｍのレンズを装着した場合には、図６中実線で示したように第５連結板９１は上方に移動する。
そして、この第５連結部材９１の上昇動作に連動して第６連結部材９４が軸１００を中心に時計回り方向に揺動し、図５に示した第２連結部材８４を図５中反時計回転方向に回動させる。
【００８３】
第２連結部材８４が反時計回り方向に回動すると、第１連結部材８０が反時計回り方向に回動し、第１連結部材８０のアーム部８０ａが図中実線で示す位置（４５ｍｍ位置）に移動する。この動作によって、４５ｍｍ用接眼レンズ群６４及び９０ｍｍ用接眼レンズ群６６はガイド溝７８ａ、７８ｂに沿って左方向にスライドし、４５ｍｍ用接眼レンズ群６４がファインダー光軸内に進出するとともに、９０ｍｍ用接眼レンズ群６６はガイド溝７８ｂに沿って図中左方向に平行移動し、ファインダー光軸内から退避する。このとき、９０ｍｍ用接眼レンズ群６６はターゲットレンズ群５８の後方のスペースに退避する。こうして、４５ｍｍ用の接眼レンズに切り替えられる。
【００８４】
このように、４５ｍｍ用接眼レンズ群６４及び９０ｍｍ用接眼レンズ群６６を並列に連結し、両者のスライド経路を一部重複させたことによって、レンズの可動エリアを省スペース化することができる。
また、ｆ＝４５ｍｍのレンズ装着動作によって、図５に示した第４連結部材８８が図５中上方向に移動し、第４連結部材８８のレバー部８８ｄによって、図７で説明した４５ｍｍ／９０ｍｍ切替枠１１０が駆動される。４５ｍｍ／９０ｍｍ切替枠１１０が移動することによって、図１３（ａ）、（ｂ）に示すようにファインダーには４５ｍｍ用のフレーム２６６が表れ、該フレーム２６６の内側に画面切替つまみ３４の選択に応じた画面サイズのフレーム２６８が表示される。
【００８５】
図１３、図１４には、４５ｍｍレンズ装着時に接眼部から観察される視野例が示され、図１３（ａ）はパノラマサイズの無限遠、同図（ｂ）はパノラマサイズの至近（０．７５ｍ）、図１４（ａ）は標準サイズの無限遠、同図（ｂ）は標準サイズの至近（０．７５ｍ）の様子を示すものである。
画面切替つまみ３４による画面サイズの設定によって表示されるフレームが切り替わる点、及びレンズ鏡胴６の距離リング２０の操作に連動して自動パララックス補正の動きが行われる点は図１１、図１２で説明した例と同様である。
【００８６】
続いて、カメラの制御手順について説明する。
図１５は、カメラの動作制御の流れを示すフローチャートである。主電源が投入されカメラ動作がスタートすると（ステップＳ１０）、ハードウエアの初期化処理が行われ（ステップＳ１２）、Ｅ2 ＰＲＯＭ２１４から初期データの読み込みを行う（ステップＳ１４）。次いでＲＡＭの容量確認（ステップＳ１６）とバッテリーチェック処理が実行される（ステップＳ１８）。
【００８７】
バッテリーチェックの結果、エネルギー残量が所定の値に満たないと判断した場合（バッテリーＮＧ）には、警告或いはカメラ動作の停止などの処理に移行し、エネルギー残量が所定の値以上と判断した場合（バッテリーＯＫ）には、液晶表示部３６を点灯する（ステップＳ２０）とともに、５分タイマーのカウントを開始する。
【００８８】
次いで、カメラの各種入力スイッチの状態の読み込み処理を行う（ステップＳ２２）。具体的には、先ず、メインダイアル２４が変化したか否かが判別される（ステップＳ２４）。メインダイアル２４が操作されてモード設定内容が変更されると、その設定に応じたモード設定処理が実行される（ステップＳ２６）。そして、モード設定処理後に５分タイマーにリセットをかける（ステップＳ６６）。ステップＳ６６で、５分タイマーをリセットした後、処理はステップＳ２２に戻る。
【００８９】
他方、ステップＳ２４において、メインダイアル２４のモード設定に変化がない場合には、続いてメインダイアルがＯＦＦされているか否かを確認する（ステップＳ２８）。メインダイアル２４がＯＦＦされた場合には、処理はステップＳ７０に飛ぶ。ステップＳ７０以後の処理については後述する。
ステップＳ２８においてメインダイアル２４がＯＮの場合は、続いてアトブタスイッチの変化の有無が判断される（ステップＳ３０）。アトブタスイッチはフイルム装填の有無を検知するものであり、パトローネ室にフイルムパトローネが装填されている場合には該スイッチがＯＮし、パトローネ未装填の状態では該スイッチがＯＦＦとなる。
【００９０】
アトブタスイッチの変化があった場合にはアトブタスイッチ処理に移り（ステップＳ３２）、そのスイッチ状態に応じた処理がなされる。即ち、アトブタスイッチＯＦＦの場合はアトブタ検知フラグを０にするとともに、フイルム未装填である旨を液晶表示部３６に警告表示し、シャッター動作等のカメラ動作を禁止する。
【００９１】
他方、アトブタスイッチＯＮの場合はアトブタ検知フラグを１にして、カメラ動作を許容する。ステップＳ３２のアトブタスイッチ処理が終了すると、処理はステップＳ６６に進む。
ステップＳ３０でアトブタスイッチの変化がない場合、次いで、シャッター半押しを示すＳ1 の変化の有無が判別される（ステップＳ３４）。レリーズボタン２２が所定量押圧操作されると、Ｓ1 がＯＮし、Ｓ1 処理に移行する（ステップＳ３６）。このＳ1 処理では、測光、シャッターの開閉、一コマ給送を含む一連の撮影動作が実行される。Ｓ1 処理が終了すると、処理はステップＳ６６に進む。
【００９２】
ステップＳ３４でＳ1 に変化が無い場合は、次いでケーブルレリーズの変化の有無が判別される（ステップＳ３８）。ケーブルレリーズがＯＮすると、ケーブルレリーズ処理に移行し（ステップＳ４０）、上記Ｓ1 処理（ステップＳ３６）と同様に一連の撮影動作が実行される。そして、所定の動作実行後に、処理はステップＳ６６に進む。
【００９３】
ステップＳ３８でケーブルレリーズに変化が無い場合は、次いでＥＬＳＷ４１の変化の有無が判別される（ステップＳ４２）。ＥＬＳＷ４１が押圧操作された場合には、ＥＬＳＷ処理に移行し（ステップＳ４４）、液晶のバックライトの点灯／消灯制御が行われる。即ち、ＥＬＳＷ４１のＯＮ操作に応じてバックライトと点灯させるとともに、点灯後一定時間経過後にバックライトを消灯させる。尚、ＥＬＳＷ４１のＯＦＦ操作に応じてバックライトを消灯させてもよい。ＥＬＳＷ処理が終了すると、処理はステップＳ６６に進む。
【００９４】
ステップＳ４２でＥＬＳＷに変化が無い場合は、次いでＭＵＳＷ４２の変化の有無が判別される（ステップＳ４６）。ＭＵＳＷ４２が押圧操作された場合には、ＭＵＳＷ処理に移行し（ステップＳ４８）、フイルムの強制巻戻しが行われる。ＭＵＳＷ処理が終了すると処理はステップＳ６６に進む。
ステップＳ４６でＭＵＳＷに変化が無い場合は、次いでＡＥＢＳＷ４０の変化の有無が判別される（ステップＳ５０）。ＡＥＢＳＷ４０が押圧操作された場合には、ＡＥＢＳＷ処理に移行し（ステップＳ５２）、オートブラケットモードの設定が行われる。ＡＥＢＳＷ処理が終了すると処理はステップＳ６６に進む。
【００９５】
ステップＳ５０でＡＥＢＳＷに変化が無い場合は、次いでＰＮＳＷの変化の有無が判別される（ステップＳ５４）。ＰＮＳＷが押圧操作された場合には、ＰＮＳＷ処理に移行する（ステップＳ５６）。ＰＮＳＷ処理について詳しくは後述するが（図１７）、選択された画面サイズに応じた各種の処理が行われる。
ステップＳ５４でＰＮＳＷに変化が無い場合は、次いでフラコンダイアルの変化の有無が判別される（ステップＳ５８）。フラコンダイアルが回動操作された場合には、フラコンダイアル処理に移行し（ステップＳ６０）、選択されたフラコンシフト量が設定される。フラコンダイアル処理が終了すると処理はステップＳ６６に進む。
【００９６】
ステップＳ５８でフラコンダイアルに変化が無い場合は、次いでシャッター速度設定ダイアル（ＳＳダイアル）２６の変化の有無が判別される（ステップＳ６２）。ＳＳダイアルが操作されると、ＳＳダイアル処理に移行し（ステップＳ６４）、選択されたシャッター速度が設定される。ＳＳダイアル処理が終了すると処理はステップＳ６６に進み、５分タイマーをリセットした後、処理はステップＳ２２に戻る。
【００９７】
ステップＳ６２でＳＳダイアルの変化が無い場合には、次いで５分タイマーのカウントを確認し、５分経過したか否かが判別され（ステップＳ６８）、５分に満たない場合、処理はステップＳ２２に戻る。他方、ステップＳ６８において５分経過が確認された場合、又は上述のステップＳ２８でメインダイアルのＯＦＦが判別された場合、起動スイッチａのオフ状態を確認してから（ステップＳ７０）、再起動の為の条件セットを行う（ステップＳ７２）。
【００９８】
起動スイッチａとは、Ｓ1 、ケーブルレリーズスイッチ、ＭＵＳＷ、及びＥＬＳＷをいい、ステップＳ７０ではこれら全てのスイッチがオフであることを確認してから、ステップＳ７２に進むことになる。
また、ステップＳ７２でセットされる起動条件とは、メインダイアル２４がＯＦＦの状態からの起動については、メインダイアル２４ＯＮ、アトブタスイッチＯＮ、ＭＵＳＷ４２ＯＦＦの３つが起動条件となり、スタンバイ状態からの起動については、上記３条件に加えてＳ1 、ケーブルレリーズスイッチ、ＭＵＳＷ４２、及びＥＬＳＷ４１のうちの何れか一つがＯＮ（起動スイッチａがＯＮ）することが起動条件となる。
【００９９】
ステップＳ７２において起動条件セットが終了すると、ＥＬ及びＬＣＤを消灯して（ステップＳ７４）、制御動作が停止する（ステップＳ７６）。
図１６には、図１５に示したステップＳ７６における停止状態からの起動処理の流れが示されている。
ストップ状態からの再起動には、全てのスイッチ状態の読み込みを実行して（ステップＳ８０）、図１５のステップＳ７２でセットした起動条件が成立しているか否かの判別を行う（ステップＳ８２）。
【０１００】
図１５に示したステップＳ２８でメインダイアル２４ＯＦＦを受けてストップ状態となった場合は、メインダイアルＯＦＦからの起動条件の成立の可否が判断される。他方、メインダイアルＯＮのまま５分経過を受けてストップ状態となった場合には、スタンバイからの起動条件の成立の可否が判断される。
対応する起動条件が成立した場合には、ＬＣＤを点灯するとともに（ステップＳ８４）、５分タイマーのカウントを開始して処理は図１５に示したステップＳ２２に戻る。他方、ステップＳ８２において対応する起動条件が成立しない場合は処理は図１５に示したステップＳ７０に戻り、停止状態が維持される（ステップＳ７６）。
【０１０１】
続いて、図１５に示したＰＮＳＷ処理のサブルーチンについて説明する。
図１７は、ＰＮＳＷ処理の流れを示すフローチャートである。ＰＮＳＷ処理が開始されると（ステップＳ１００）、先ず、画面切替つまみ３４に対応するＰＮＳＷが中立状態、即ちパノラマ設定位置と標準設定位置との間の未完全設定状態であるか否かが判別される（ステップＳ１０２）。ＰＮＳＷが中立状態の時は液晶表示部３６に「Ｐ」を点滅表示して画面サイズの設定が確定していない旨の警告を行い（ステップＳ１０４）、処理は図１５のメインルーチンに戻る（ステップＳ１１８）。
【０１０２】
ステップＳ１０２において、ＰＮＳＷが中立状態でない場合には、次いでＰＮＳＷで選択設定された画面サイズの判別を行う（ステップＳ１０６）。パノラマサイズが選択されている場合（標準サイズからパノラマサイズに切替えた場合）、切替前の標準サイズ（ノーマル）でのフイルム残量が「１枚」か否かを判断する（ステップＳ１０８）。ノーマルでのフイルム残量が１枚であれば、パノラマ撮影を行うことができないと判断し、フイルムカウンター２８に「１」を点滅表示して（ステップＳ１１０）、パノラマ撮影不能である旨の警告を行い、ユーザに標準サイズへの変更を促す。
【０１０３】
そして、改めてＰＮＳＷの状態を確認し（ステップＳ１１１）、パノラマサイズの設定が維持されている場合にはシャッターロックをかけ（ステップＳ１１２）、レリーズ動作を禁止する。具体的には、例えば、レリーズボタン２２が押されても、その信号をＣＰＵ２１０が受け付けないようにしてシャッターの開閉を不動作とする。
【０１０４】
他方、ステップＳ１１１において、ＰＮＳＷが標準サイズに変更された場合には、フイルムカウンター２８に「１」を表示して（ステップＳ１１３）、ノーマルで１枚分撮影が可能である旨を表示し、処理は図１５のメインルーチンに戻る（ステップＳ１１８）。
ステップＳ１０８において、ノーマルでのフイルム残量が２枚以上であれば、パノラマ撮影が可能であるので、後述する「Ｎ→Ｐ切替処理」を実行する（ステップＳ１１５）。その後、処理は図１５のメインルーチンに戻る（ステップＳ１１８）。
【０１０５】
ステップＳ１０６においてＰＮＳＷが標準サイズ側に設定されている場合（つまり、パノラマからノーマルに切替られた場合）には、後述する「Ｐ→Ｎ切替処理」を実行する（ステップＳ１１６）。その後、処理は図１５のメインルーチンに戻る（ステップＳ１１８）。
図１８には、画面サイズ切替処理のサブルーチンが示されている。
【０１０６】
画面サイズ切替処理がスタートすると（ステップＳ１２０）、先ず、ＰＮＳＷがパノラマ側に設定されたか、標準側に設定されたかの判別を行う（ステップＳ１２２）。パノラマ側に設定されている場合（図１７のステップＳ１１５に示したＮ→Ｐ切替処理に相当）、フォトリフレクタレジスタ（ＰＲreg ）に不足給送量に相当する「６」を設定する（ステップＳ１２４）。フイルムＰＲ検出回路２１６の信号変化は２回で１つのパーフォレーション通過に相当するので、「６」は３パーフォレーションに相当する値である。
【０１０７】
その後、安全タイマーのカウントをスタートするとともに（ステップＳ１２６）、フイルムモータ２３２の巻戻し駆動を開始する（ステップＳ１２８）。尚、安全タイマーは例えば９０秒でタイムアップするように設定される。
フイルムの巻戻し動作中、カメラのＣＰＵ２１０はフイルムＰＲ検出回路２１６からの信号状態の変化を監視し（ステップＳ１３０）、変化毎にＰＲreg の値から１を減算して行き（ステップＳ１３２）、ＰＲreg の値が０になるまでステップＳ１３０、Ｓ１３２の処理を繰り返す（ステップＳ１３４）。
【０１０８】
但し、ステップＳ１３０において状態が変化しない場合には、安全タイマーのタイムアップに達したか否かが確認され（ステップＳ１３６）、タイムアップ前ならば処理はステップＳ１３０に戻り、タイムアップの時には処理はステップＳ１３８に進む。
ステップＳ１３６で安全タイマーがタイムアップした場合、又は、フイルムが３パーフォレーション分だけ給送されてＰＲreg の値が「０」になると、フイルムモータ２３２をＯＦＦしてフイルム搬送を終了する（ステップＳ１３８）。そして、該モータ２３２の両極を励磁してブレーキをかけた後（ステップＳ１４０）、モータ２３２への通電を遮断する（ステップＳ１４２）。その後、安全タイマーをリセットして（ステップＳ１４４）、図１５のメインルーチンに戻る（ステップＳ１４６）。
【０１０９】
次に、ステップＳ１２２で標準側に設定されている場合を説明する。ＰＮＳＷがノーマル側に設定された場合は、図１７のステップＳ１１６に示した「Ｐ→Ｎ切替処理」に相当し、この場合、ＰＲreg に１０を設定する（ステップＳ１５０）。「１０」は５パーフォレーションに相当する値である。
その後、安全タイマーのカウントをスタートするとともに（ステップＳ１５２）、フイルムモータ２３２の送り駆動を開始する（ステップＳ１５４）。
【０１１０】
フイルムの送り動作中、カメラのＣＰＵ２１０はフイルムＰＲ検出回路２１６からの信号状態の変化を監視し（ステップＳ１５６）、変化毎にＰＲreg の値から１を減算していき（ステップＳ１５８）、ＰＲreg の値が０になるまでステップＳ１５６、Ｓ１５８の処理を繰り返す（ステップＳ１６０）。
但し、ステップＳ１５６において状態が変化しない場合には、安全タイマーのタイムアップに達したか否かが確認され（ステップＳ１６２）、タイムアップ前ならば処理はステップＳ１５６に戻り、タイムアップの時には処理はステップＳ１６４に進む。
【０１１１】
ステップＳ１６４で安全タイマーがタイムアップした場合、又は、フイルムが５パーフォレーション分だけ巻取リールに巻き取られてＰＲreg の値が「０」になると（ステップＳ１６０）、フイルムモータ２３２をＯＦＦしてフイルム搬送を終了する（ステップＳ１６４）。そして、該モータ２３２の両極を励磁してブレーキをかけた後（ステップＳ１６６）、モータ２３２への通電を遮断する（ステップＳ１６８）。
【０１１２】
その後、ＰＲreg に「４」を設定し（ステップＳ１７０）、安全タイマーをリセットしてから（ステップＳ１７２）、ステップＳ１２６に進む。ステップＳ１２６〜ステップＳ１４８の処理は上述のとおりであり、２パーフォレーション分だけフイルムが巻き戻されることになる。
本例では、パノラマから標準に切り替えられた場合に、５パーフォレーション分だけ逆方向に搬送してから、２パーフォレーション分フイルムを順方向に送るようにしたが、逆方向に搬送する量は超過給送量に相当する３パーフォレーション分よりも多ければよく、特に値を限定するものではない。
【０１１３】
このように、パノラマから標準に切り替える場合にも、フイルムの位置決めは必ず一方向（フイルム巻戻し方向）の搬送によって行い、フイルム駆動力伝達機構のバックラッシによる搬送誤差やパーフォレーション検出手段の検出誤差の影響を回避している。
続いて、撮影後の一コマ給送処理について説明する。
【０１１４】
図１９には、一コマ給送（一コマ巻戻し）のサブルーチンが示されている。フイルム露光が行われ、一コマ給送処理がスタートすると（ステップＳ１８０）、先ず、ＰＮＳＷがパノラマ／標準の何れに設定されているかを判断する（ステップＳ１８２）。ＰＮＳＷがパノラマ側に設定されている場合には、ＰＲreg に「２８」を設定する（ステップＳ１８４）。「２８」は１４パーフォレーションに相当する値である。
【０１１５】
一方、ステップＳ１８２においてＰＮＳＷがノーマル側に設定されている場合には、ＰＲreg に「１６」を設定する。「１６」は８パーフォレーションに相当する値である。
その後、安全タイマーのカウントをスタートするとともに（ステップＳ１８８）、フイルムモータ２３２の巻戻し駆動をスタートする（ステップＳ１９０）。
【０１１６】
フイルムの送り動作中、カメラのＣＰＵ２１０はフイルムＰＲ検出回路２１６からの信号状態の変化を監視し（ステップＳ１９２）、変化毎にＰＲreg の値から１を減算していき（ステップＳ１９４）、ＰＲreg の値が０になるまでステップＳ１９２、Ｓ１９４の処理を繰り返す（ステップＳ１９６）。
但し、ステップＳ１９２において状態が変化しない場合には、安全タイマーのタイムアップに達したか否かが確認され（ステップＳ１９８）、タイムアップ前ならば処理はステップＳ１９２に戻り、タイムアップの時には処理はステップＳ２００に進む。
【０１１７】
ステップＳ１９８で安全タイマーがタイムアップした場合、又は、ステップＳ１９６においてフイルムが所定量搬送されてＰＲreg の値が「０」になると、フイルムモータ２３２をＯＦＦしてフイルム搬送を終了する（ステップＳ２００）。そして、該モータ２３２の両極を励磁してブレーキをかけた後（ステップＳ２０２）、モータ２３２への通電を遮断する（ステップＳ２０４）。その後、安全タイマーをリセットして（ステップＳ２０６）、図１５のメインルーチンに戻る（ステップＳ２０８）。
【０１１８】
続いて、パノラマで撮影を行った後、フイルム残量が０になる時の処理について説明する。
図２０に示すように、パノラマでのフイルム露光を行った後、フイルム給送処理を実行する場合（ステップＳ２２０）、標準サイズ換算でフイルム残量が１以下か否かを判別する（ステップＳ２２２）。標準サイズ換算でフイルム残量が２以上の場合には、更なるパノラマ撮影が可能であるので、パノラマサイズで１コマ巻戻し処理を行い（ステップＳ２２４）、次コマのセットを行う。以後、処理は図１５のメインルーチンに戻る。
【０１１９】
ステップＳ２２２において、ノーマルでのフイルム残量（残枚数）が１以下の場合には、パノラマ撮影を行うことができないと判断し、フイルムカウンター２８に「１」を点滅表示して（ステップＳ２２６）、パノラマ撮影不能である旨の警告を行い、ユーザに標準サイズへの変更を促す。
そして、改めてＰＮＳＷの状態を確認し（ステップＳ２２７）、パノラマサイズの設定が維持されている場合にはシャッターロックをかけ（ステップＳ２２８）、レリーズ動作を禁止する。
【０１２０】
ステップＳ２２７において、ＰＮＳＷが標準サイズに変更された場合には、次いで、標準サイズでのフイルム残枚数が１であるか、０であるかを判別する（ステップＳ２３０）。標準サイズ換算でのフイルム残量が０の場合には、自動巻戻しを実行してフイルムを全てパトローネ内に収納し（ステップＳ２３０）、フイルムをカメラから取り出せるようにする。
【０１２１】
他方、ステップＳ２３０において、標準サイズ換算でのフイルム残量が１の場合には、、標準サイズでの撮影が許容される。即ち、フイルムカウンターに「１」を表示するとともに（ステップＳ２３４）、自動的に標準サイズの１コマ巻き戻し処理を実行する（ステップＳ２３６）。こうして、パノラマでの残数が０であっても、標準サイズ換算でフイルム残数が１の時には撮影を行うことができ、フイルムを無駄なく利用できる。
【０１２２】
フイルムの最終コマにおける処理については、上述した処理以外にも様々な態様が考えられる。以下、フイルムの最終コマにおける処理の他の実施の形態について説明する。
先ず、標準サイズでの残枚数が１の場合について述べる。画面切替つまみが標準サイズに設定され、フイルムカウンター２８に標準サイズでの残枚数「１」が表示されている場合には、パノラマ撮影に必要な分のフイルムが残っていない。したがって、かかる場合に、画面切替つまみ３４を操作してパノラマサイズに切り替えた際、フイルムカウンター２８にパノラマサイズ相当の残量表示であることを明示する「Ｐ」なる文字と、その残枚数を示す「０」とを点滅表示してもよい。
【０１２３】
この点滅表示は、パノラマ撮影を行うことができないことを意味する警告として用いられ、ユーザに標準サイズへの設定を促すようになっている。尚、警告の表示形態はこれに限らず、メッセージ表示やアラーム番号表示、又は警告ランプの点灯など種々の態様が可能である。また、このとき、上述の警告とともに、シャッターロックをかけ、撮影動作を阻止することが好ましい。
【０１２４】
その他の態様としては、標準サイズでの残枚数が１である場合に、画面サイズをパノラマサイズに切り替えることはできない旨を予め警告して、画面サイズの切り替え操作を未然に防止するようにしてもよい。この場合、警告の形態としては、警告メッセージを液晶表示部に表示してもよいし、アラーム番号表示、警告ランプの点灯などでもよい。
【０１２５】
次に、パノラマサイズでの残枚数が１から０になる場合について述べる。
パノラマサイズでの残枚数が１である時にパノラマサイズで撮影が行われると、フイルムカンウンター２８に表示は「０」になるが、標準サイズで換算すれば、標準サイズの撮影が可能な分だけフイルム量が残存している場合がある。従って、かかる場合には、標準サイズでの撮影を許容して、フイルムの有効利用を図る。
【０１２６】
即ち、パノラマでの残枚数が０であっても標準サイズで撮影が可能な分だけフイルムが残っている場合には、フイルムカウンター２８に「１」を点滅表示して、ユーザに標準サイズでの撮影が可能である旨を告知する。他方、標準サイズで撮影が可能な分だけフイルムが残っていない場合には、フイルムカウンター２８に「０」を表示を表示して自動巻戻しを実行するようにしてもよい。
【０１２７】
また、標準サイズで撮影が可能な分だけフイルムが残っていると判断した場合には、ユーザーによる画面サイズの切り替え操作を待たずに、画面サイズを自動的に標準サイズに切り替える処理を行い、標準サイズでのフイルム給送を実行するようにしてもよい。
具体的には、例えば、アパーチュア切替機構を駆動するためのプランジャー等の駆動手段を設け、画面切替スイッチの電気的な信号に基づいて前記駆動手段を駆動して画面サイズの切替を行うように構成する。そして、パノラマサイズでの残枚数が１である時にパノラマサイズでの撮影が行われた後、更に標準サイズでの撮影が可能な分だけフイルム量が残存しているとＣＰＵ２１０が判断した場合には、ＣＰＵ２１０から前記駆動手段を制御する信号を出力して、画面サイズを自動的に標準サイズに切り替えるようにする。
【０１２８】
その他、パノラマサイズでの残枚数が１である時にパノラマサイズでの撮影が行われた場合には、標準サイズでの撮影が可能な分だけフイルム量が残存しているといないとに依らず、フイルムの自動巻き上げ（予備巻式の場合は巻戻し）を終了させる態様もある。かかる態様によれば、パノラマサイズでの最終コマの撮影後に、フイルムを全てパトローネに収納する処理（自動巻戻し処理）を実行する。
【０１２９】
次に、カメラのフイルムカウンターの作動手順を図２１に示すフローチャートに沿って説明する。
カメラの裏蓋４４が閉じられて（ステップＳ２５０）、フイルムが装填されていることが確認されると（ステップＳ２５２）、パトローネ内部のフイルムを全てスプールに巻き上げる予備巻上げが行われる（ステップＳ２５４）。このとき、フイルムＰＲ検出回路２１６により、巻き上げられたフイルムのパーフォレーション数が計測され、フイルムの先端部（リーダ部）等を除いた撮影可能な部分のパーフォレーション数がフイルム残量ｒとされる（ステップＳ２５６）。
【０１３０】
次いで、画面サイズの設定が判別され（ステップＳ２５８）、標準サイズに設定されている場合は、フイルム給送量Ｌを８パーフォレーションとし（ステップＳ２６０）、パノラマサイズに設定されている場合は、フイルム給送量Ｌを１４パーフォレーションとする（ステップＳ２６２）。
そして、フイルム残量ｒをフイルム給送量Ｌで除算して各サイズに対応した撮影可能枚数を求め、設定されている画面サイズでの撮影可能枚数（残枚数）をフイルムカウンター２８に表示する（ステップＳ２６４）。尚、（フイルム残量ｒ）／（フイルム給送量Ｌ）の除算による結果の小数点以下の値は切り捨てられる。
【０１３１】
次に、撮影者が確認ボタン２９を押圧操作したか否かが検出され（ステップＳ２６６）、操作されていればステップＳ２６４で表示した撮影可能枚数の表示を消灯し、代わって、他方の画面サイズでの残枚数をフイルムカウンター２８に表示する（ステップＳ２６８）。これにより、設定されていない他方の画面サイズでの撮影可能枚数を確認することができる。
【０１３２】
確認ボタン２９が押圧操作されている間、この確認用の残枚数の表示が行われ（ステップＳ２７０）、ステップＳ２７０で確認ボタン２９の押圧操作の解除が確認されると、フイルムカウンター２８には、再び、画面切替つまみ３４で設定されている画面サイズの撮影可能枚数が表示される（ステップＳ２７２）。
尚、ステップＳ２６６で確認ボタン２９が操作されていなければ、ステップＳ２６８〜ステップＳ２７２の処理は省略される。
【０１３３】
続いて、撮影者が画面切替つまみ３４を操作したか否かが検出され（ステップＳ２７４）、操作されていればアパーチュア切替機構が作動されて、フイルム給送量Ｌを変更する必要があるので、ステップＳ２５８に戻される。
ステップＳ２７４で画面サイズが切り替えられていなければ、レリーズスイッチがＯＮされたか否かが判別される（ステップＳ２７６）。ここで、レリーズボタン２２やケーブルレリーズが操作されていなければ、処理はステップＳ２２６に戻される。
【０１３４】
ステップＳ２７６において、レリーズボタン２２が押圧操作され、又はケーブルレリーズが操作されてレリーズスイッチがＯＮされていれば、露光が行われ（ステップＳ２７８）、フイルム給送量Ｌだけフイルムが給送される（ステップＳ２８０）。即ち、標準サイズで撮影された場合は８パーフォレーションの給送が行われ、パノラマサイズで撮影された場合は、１４パーフォレーションの給送が行われる。
【０１３５】
フイルムの給送が完了すると、フイルム残量ｒから前記フイルム給送量Ｌを減算した値を新たなフイルム残量ｒとして（ステップＳ２８２）、該フイルム残量ｒとフイルム給送量Ｌとを比較する（ステップＳ２８４）。ここで、フイルム残量ｒがフイルム給送量Ｌ以上であれば、更に撮影を続けることができるので、次の撮影に備えるべく処理はステップＳ２５８に戻る。
【０１３６】
一方、フイルム残量ｒがフイルム給送量Ｌに満たない場合には、撮影を続けることができないので、残りのフイルムをパトローネに巻き込んで（ステップＳ２８６）、このフイルムの撮影が終了する。尚、残り枚数１の場合の処理については、既に説明したように、種々の処理態様が可能である。
上述したカメラによれば、画面サイズの設定と連動して残枚数の表示を行うとともに、他方の画面サイズに対応した残り枚数を随時確認することができる。しかも、ユーザは画面サイズ設定手段によって設定されている画面サイズに対応した真の残枚数の表示と、確認用の表示とを誤認することがない。
【０１３７】
上記実施の形態では、フイルムパトローネの装填直後に予備巻き上げを行い、一コマ撮影毎にフイルムをパトローネに収納して行くプレワインド方式のカメラを例に説明したが、本発明は、一コマ撮影毎に、パトローネからフイルムを送り出す方式のカメラにも適用することができる。
また、本実施の形態では、フイルムの給送量を把握する手段として、パーフォレーションをフォトセンサで検出する場合を例に説明したが、これに限らず、例えば、パーフォレーションに係合する回動自在なスプロケットの回転量を検出する構成でもよい。
【０１３８】
上記実施の形態では、本発明を標準サイズと該標準サイズをフイルム進行方向に伸張したパノラマサイズとに切替自在な標準／パノラマ切替カメラに適用した例を説明したが、これに限らず、フルサイズとハーフサイズとの切替可能なカメラにも本発明を適用することができる。
【０１３９】
【発明の効果】
以上説明したように本発明に係る画面サイズ切替可能なカメラによれば、画面サイズ設定手段による画面サイズの設定に連動して、設定された一方の画面サイズに対応した残枚数を表示する残量表示手段と、操作部材の操作に応じて画面サイズ設定手段で設定していない他方の画面サイズの残枚数を随時表示する他サイズ残量確認手段とを併設したので、設定されている画面サイズの残枚数を明確に表示できるとともに、設定されていない他方の画面サイズでの残枚数を必要に応じて何時でも確認することができる。
【０１４０】
これにより、画面サイズの変更前に、他方の画面サイズでの残枚数を把握することができ、かつ、実際に設定されている画面サイズでの残枚数表示と、確認の為の他方の画面サイズの残枚数表示とをユーザは容易に区別することができる。
特に、残量表示手段の液晶表示部を他サイズ残量確認手段と共用し、前記操作部材が操作された時には、設定されている一方の画面サイズに対応した残枚数の表示を消灯して、代わりに他方の画面サイズの残枚数を表示するようにしたことで、実際に設定されている画面サイズでの残枚数表示と、確認の為の他方の画面サイズの残枚数表示と明確に区別でき、表示の誤認を防ぐことができる。
【０１４１】
更に、操作部材として押圧操作ボタンを用い、該押圧操作ボタンが押圧されている間だけ、確認用の他方の画面サイズの残枚数を表示し、押圧操作ボタンの押圧操作が解除されたら、その表示を終了することによっても表示の誤認を防ぐことができる。
また、他サイズ残量確認用の操作部材が操作されたら、確認用の他方の画面サイズに対応した残枚数を表示し、操作部材が操作された時又は該操作部材の操作が解除された時から一定時間経過後に、この確認用の表示を強制的に終了させる態様によっても、表示の誤認を有効に防止できる。
【図面の簡単な説明】
【図１】本発明が適用されたカメラの正面外観図
【図２】図１に示したカメラの上面外観図
【図３】図１に示したカメラの背面側の外観図
【図４】図１に示したカメラに組み込まれたファインダーの光学系の構成を示す平面図
【図５】接眼レンズ群の切替機構の平面図
【図６】接眼レンズ群の切替機構の正面側の要部構成図
【図７】図４に示したレチクル群５６の構成を示す図
【図８】図１に示したカメラ内部の要部構成図
【図９】アパーチュア切替機構の構成図
【図１０】カメラの電気的構成の概略を示すブロック図
【図１１】９０ｍｍレンズ装着時に接眼部から観察される視野の一例を示す図であり、（ａ）はパノラマサイズの無限遠の様子を示す図、（ｂ）はパノラマサイズの至近の様子を示す図
【図１２】９０ｍｍレンズ装着時に接眼部から観察される視野の一例を示す図であり、（ａ）は標準サイズの無限遠の様子を示す図、（ｂ）は標準サイズの至近の様子を示す図
【図１３】４５ｍｍレンズ装着時に接眼部から観察される視野の一例を示す図であり、（ａ）はパノラマサイズの無限遠の様子を示す図、（ｂ）はパノラマサイズの至近の様子を示す図
【図１４】４５ｍｍレンズ装着時に接眼部から観察される視野の一例を示す図であり、（ａ）は標準サイズの無限遠の様子を示す図、（ｂ）は標準サイズの至近の様子を示す図
【図１５】カメラの動作制御の流れを示すフローチャート
【図１６】停止状態からの起動処理の流れを示すフローチャート
【図１７】図１５に示したＰＮＳＷ処理の流れを示すフローチャート
【図１８】画面サイズ切替処理のサブルーチンを示すフローチャート
【図１９】一コマ送りのサブルーチンを示すフローチャート
【図２０】パノラマ撮影後の処理を説明するために用いたフローチャート
【図２１】フイルムカウンターの作動手順を示すフローチャート
【符号の説明】
１…カメラ
２…撮影レンズ
２８…フイルムカウンター
２９…確認ボタン（他サイズ残量確認用操作部材）
３４…画面切替つまみ
３６…液晶表示部
２１０…中央処理装置（ＣＰＵ）
２１６…フイルムＰＲ検出回路
２２４…モータ制御回路
２３２…フイルムモータ
【図１】
0004048386.tif 000002
【図２】
0004048386.tif 000003
【図３】
0004048386.tif 000004
【図４】
0004048386.tif 000005
【図５】
0004048386.tif 000006
【図６】
0004048386.tif 000007
【図７】
0004048386.tif 000008
【図８】
0004048386.tif 000009
【図９】
0004048386.tif 000010
【図１０】
0004048386.tif 000011
【図１１】
0004048386.tif 000012
【図１２】
0004048386.tif 000013
【図１３】
0004048386.tif 000014
【図１４】
0004048386.tif 000015
【図１５】
0004048386.tif 000016
【図１６】
0004048386.tif 000017
【図１７】
0004048386.tif 000018
【図１８】
0004048386.tif 000019
【図１９】
0004048386.tif 000020
【図２０】
0004048386.tif 000021
【図２１】
0004048386.tif 000022